(57)【要約】【課題】小型でハンディタイプの赤外線治療器を提供することである。【解決手段】合成樹脂製のケーシング１０の中に光源を収納して、ライトガイド４０を介して、波長６００〜１８００ｎｍの赤外線を放射するハンディタイプである。光源は、フィラメントランプ１と金属製反射ミラー２０よりなり、ケーシング１０の内部であってライトガイド４０の端部近傍には、金属製反射ミラー２０が着脱自在に装着されるとともに、フィラメントランプ１からの放射光が直射されるとともに光通過路が形成された金属製ブロック３０が配置することを特徴とする。【選択図】      図１
2006025954.tif 000002
【特許請求の範囲】
【請求項１】
合成樹脂製のケーシングの中に光源を収納して、ライトガイドを介して、波長６００〜１８００ｎｍの赤外線を放射するハンディタイプの赤外線治療器において、
前記光源は、フィラメントランプと金属製反射ミラーよりなり、
前記ケーシングの内部であって、ライトガイドの端部近傍には、前記金属製反射ミラーが着脱自在に装着されるとともに、フィラメントランプからの放射光が直射されるとともに光通過路を有する金属製ブロックが配置することを特徴とする赤外線治療器。
【請求項２】
前記金属製反射ミラーは、前面開口にフランジが一体的に形成されて、このフランジに設けられた取付穴が前記金属製ブロックからの突出部材と係合することで着脱自在構造が形成されることを特徴とする請求項１の赤外線治療器。
【請求項３】
前記金属製ブロックからの突出部材は、当該金属製ブロックをケーシングに装着する取付部材の一部を利用することを特徴とする請求項２の赤外線治療器。
【発明の詳細な説明】
【技術分野】
【０００１】
本発明は患部に赤外線を照射するハンディタイプの赤外線治療器に関する。
【背景技術】
【０００２】
患部に近赤外線を照射して治療する、いわゆる光線治療器が、例えば特開２００３−１１７００７号などで知られている。
この治療器は光源を含む治療器本体からアームが伸びるように構成されており、光源からの放射光はファイバーで導かれるとともに、アーム先端に装着されたプローブから光線を放射する。
しかし、装置全体が大型化することから、治療現場で設置場所を占有してしまうなど、問題がないわけではない。
【特許文献１】特開２００３−１１７００７号
【発明の開示】
【発明が解決しようとする課題】
【０００３】
この発明が解決しようとする課題は、小型でハンディタイプの赤外線治療器を提供することである。
【課題を解決するための手段】
【０００４】
この発明に係る赤外線治療器は、合成樹脂製のケーシングの中に光源を収納して、ライトガイドを介して、波長６００〜１８００ｎｍの赤外線を放射するハンディタイプである。そして、光源は、フィラメントランプと金属製反射ミラーよりなり、前記ケーシングの内部であってライトガイドの端部近傍には、前記金属製反射ミラーが着脱自在に装着されるとともに、フィラメントランプからの放射光が直射されるとともに光通過路が形成された金属製ブロックが配置することを特徴とする。
【０００５】
さらに、金属製反射ミラーは、前面開口にフランジが一体的に形成されて、このフランジに設けられた取付穴が前記金属製ブロックからの突出部材と係合することで着脱自在構造が形成されることを特徴とする。
【０００６】
さらに、金属製ブロックからの突出部材は、当該金属製ブロックをケーシングに装着する取付部材の一部を利用することを特徴とする。
【発明の効果】
【０００７】
上記構成により小型でハンディタイプの光線治療器を提供することができる。また、金属製ブロックを光源の放射方向に配置する構造により、赤外線を放射する治療器でありながら良好な熱的対策と、光源の位置的安定化を図ることができる。
【発明を実施するための最良の形態】
【０００８】
図１は本発明の光治療器の全体構造を示す。
本体ケース１０は、合成樹脂にて射出成形され、前ケース１１と後ケース１２の２分割構造で形成される。後ケース１２の下方に握り部が一体的に形成されて、装置は全体として小型軽量なハンディタイプとなる。
また、後ケース１２の後方には、スリット状の冷却風吸入孔１３が形成され、この冷却風吸引孔１３の手前に冷却ファン１４が配置される。冷却ファン１４が作動すると冷却風が吸引されて本体ケース１０の内部に流れる。
また、前ケース１１と後ケース１２は、係合部１５においてワンタッチ式にかみ合う構造になっている。
前ケース１１の先端にはライトガイド４０が装着される。このライトガイド４０は、直径１５０μｍの光ファイバーを約２０００本束ねたものであり、前ケース１１に着脱自在となる。
【０００９】
光源部は、フィラメントランプ１と金属製反射ミラー２０（以後、単に「反射ミラー」ともいう）より構成される。反射ミラー２０の首部では、フィラメントランプ１の封止部が接着剤などで保持される。フィラメントランプ１はシングルエンド型ランプであり、例えば、定格１３．５Ｖ、４５Ｗのハロゲンランプが採用される。
【００１０】
図２はフィラメントランプ１の拡大図を示す。
石英を主成分とするガラス製の発光管１ａよりなり、一端に封止部１ｂが形成されるとともに、他に排気管残部２が形成される。発光管１ａ内では発光部を構成する一つもしくは複数のフィラメントコイル３が当該発光管の管軸に水平に配置されている。フィラメントコイル３はサポータ４によって支持されている。発光管１ａ内には、例えば、不活性ガスとハロゲン化合物が封入されている。封止部１ｂには金属箔５が埋設されてサポータ４と外部リード６の電気的接合を構成する。金属箔５はモリブデンによりなる。フィラメントランプ３は、赤外線、具体的には波長３００〜３０００ｎｍを超える範囲の光を放射する。
【００１１】
図１に戻り、反射ミラー２０は、例えば、アルミニウムよりなり、略お椀状の反射部２１と首部２１より構成され、反射部２１によりフィラメントランプ１の放射光を全て前方に向けて反射する。
反射ミラー２０の首部２２には、例えば、ポリアミド系接着剤を充填することでフィラメントランプ１を保持している。首部２２にはセラミック製口金などを装着されておらず、また、反射ミラー２０の後部には当該反射ミラーを保持するための特別の部材も存在しない。
フィラメントランプ１から伸びる給電線は握り部に内蔵された電気回路（図示略）に接続される。
反射ミラー２０は、前面開口が金属製ブロック３０に密着して取り付けられる。金属製ブロック３０は、熱容量を有するものであり、フィラメントランプ１から放射される赤外線を吸収する。
【００１２】
図３は金属製反射ミラー２０の概略構成を示す。前述のように略お椀型の反射部２１とランプを保持する首部２２を有する。反射ミラー２０の前面開口には、折り曲げにより一体的にフランジ２３が形成されており、フランジ２３にはネジ通過用の開口２４（２４ａ、２４ｂ）が形成される。
【００１３】
図４は前カバー１１の内部構造を示す。
金属性ブロック３０は取付部材３１により前ケース１１に装着される。取付部材３１は、具体的にはネジであって、前ケース１１に一体的に形成された突出部１１ａにネジ穴が形成され、両者でネジ構造が構成される。
また、取付部材３１の先端ヘッドは反射ミラー２０を取り付ける部材としても機能する。具体的には、取付部材（ネジ）３１の先端部が、フランジ２３の開口２４に適合するものであり、より具体的には、開口２４は大径部２４ａと小径部２４ｂを有し、取付部材（ネジ）３１のヘッドを大径部２４ａにより通した後に、反射ミラー２０全体を回転させることで小径部２４ｂにおいて適合させる。
なお、図においては、フランジ２３は、反射ミラー２０が金属製ブロック３０に装着された状態において、反射ミラー２０の上下方向にのみ設けられ、すなわち、取付部材３１との装着構造も上下方向にのみ形成されている。しかし、これは必須の構造ではなく、フランジを反射ミラーの左右方向に設けてもよいし、上下左右の４方向に設けてもかまわない。
【００１４】
金属製ブロック３０には、すり鉢形状の光通過路が形成され、フィラメントランプ１から放射される赤外線がライトガイド４０の端部に集光する。ライトガイド４０の端部にはフィルタ５０が挟まれており、このフィルタ５０によって、波長６００ｎｍ以下の光をカットする。より具体的には、波長４２０〜５９０ｎｍの光の透過率を１％以下にする。
なお、図１では金属製ブロック３０は断面構造が示されていない。
【００１５】
以上の構造により、本発明の赤外線治療器は以下の効果を有する。
第一に、熱対策が十分に行われていることである。本発明の治療器は赤外線を放射するものであり、ライトガイド４０により導くことができない不必要な赤外線を金属ブロック３０で良好に蓄熱することができる。すなわち、フィラメントランプ１の放射方向に金属製ブロック３０を設けることで、ライトガイド４０に入射できない光を吸収することができ、冷却ファン１４により金属製ブロック３０を効果的に冷却できる。
特に、本発明の赤外線治療器はハンディタイプであり、使用時において装置を患部近傍まで近づける必要がある。この際、前ケース１１が高温になると患部に不快感を与えかねず、また、前ケース１１は合成樹脂よりなるため高温化により変形することもある。この点において、金属製ブロック３０で不必要な熱を吸熱できる構造は効果的である。
【００１６】
第二に、装置全体を前ケース１１と後ケース１２の２分割構造にするとともに、フィラメントランプ１や反射ミラー２０を前ケース１１に取り付けることで、ランプ交換や反射ミラー２０の位置調整を容易に行うことができる。特に、反射ミラー２０は金属製ブロック３０に押さえ付けと回転により容易に装着、脱着できる。また、このときの部材は金属製ブロックを前ケースに取り付ける部材を兼用しているため、専用の部品を使っているわけではなく、この点で簡素の構造を提供できる。
【図面の簡単な説明】
【００１７】
【図１】本発明に係る赤外線治療器の全体構造を示す。
【図２】本発明に係るフィラメントランプの全体構造を示す。
【図３】本発明に係る反射ミラーの全体構造を示す。
【図４】本発明に係る前ケースの内部構造を示す。
【符号の説明】
【００１８】
１０  本体ケース
１１  前ケース
１２  後ケース
２０  金属製反射ミラー
３０  金属製ブロック
４０  ライトガイド  
５０  フィルタ
L  フィラメントランプ
【図１】
2006025954.tif 000003
【図２】
2006025954.tif 000004
【図３】
2006025954.tif 000005
【図４】
2006025954.tif 000006